(57)【要約】      （修正有）【課題】折り畳まれていると体積が小さくなり、空間を占めることなく、収納され易く、携帯が簡便である、折り畳んで収容可能なポータブル式のストーブを提供する。【解決手段】折り畳んで収容可能なポータブル式のストーブは、ストーブケース１００を含み、ストーブケースは、折り畳み可能なハウジング１、及び、折り畳み可能なハウジングの底部に設置され、折り畳み可能なハウジングと嵌合する底部ケース１６を含む。折り畳み可能なハウジングは、天井板、前台板、後台板、左側板及び右側板を含み、前台板及び後台板は、ヒンジを介して、天井板の前後端部に接続され、ヒンジ接続辺に沿って、内側へ折り畳まれ、左側板及び右側板は、ヒンジを介して、天井板の左右端部に接続され、ヒンジ接続辺に沿って、内側へ折り畳まれ、収納時は、前台板、後台板、左側板及び右側板が、それぞれのヒンジ接続辺に沿って、内側へ天井板の下方に折り畳まれている。【選択図】図１
0003233745.tif 000002
【実用新案登録請求の範囲】
【請求項１】
ストーブケース、ストーブケースの先端部に設けられた直管煙突、及び、ストーブケースの底部に設けられた支持部品を含む、折り畳んで収容可能なポータブル式のストーブであって、
前記ストーブケースは、折り畳み可能なハウジングと、前記折り畳み可能なハウジングの底部に設置され、折り畳み可能なハウジングと嵌合している底部ケースと、を含み、
前記折り畳み可能なハウジングは、天井板、前台板、後台板、左側板、及び、右側板を含み、前記前台板及び前記後台板は、ヒンジを介して、天井板の前後端部に接続され、前台板及び後台板がヒンジ接続辺に沿って、内側へ折り畳まれ、
前記左側板及び接続于右側板は、ヒンジを介して、天井板の左右端部に接続され、左側板及び右側板がヒンジ接続辺に沿って、内側へ折り畳まれ、
収納するときは、前台板、後台板、左側板及び右側板が、それぞれ、ヒンジ接続辺に沿って、内側へ天井板の下方に折り畳まれている、ことを特徴とする、折り畳んで収容可能なポータブル式のストーブ。
【請求項２】
前記天井板には、煙排出口が開設されており、前記煙排出口には、煙突スリーブが設けられ、前記煙突スリーブの外径は、直管煙突の内径よりも小さく、前記直管煙突は、煙突スリーブの外側に周設されている、ことを特徴とする、請求項１に記載の折り畳んで収容可能なポータブル式のストーブ。
【請求項３】
前記煙突スリーブは、下方辺縁に係合フックが設けられ、
前記天井板は、煙排出口に位置しており、前記係合フックと対応している係合溝が設けられ、
前記煙突スリーブは、前記係合フックを介して、天井板の前記係合溝に係合して固定される、ことを特徴とする、請求項２に記載の折り畳んで収容可能なポータブル式のストーブ。
【請求項４】
前記煙突スリーブ内には、火焔フィルターがさらに設けられ、
当該煙突スリーブは、前記火焔フィルターを挿入するための開口溝が側壁に設けられ、
前記火焔フィルターは、径方向に、煙突スリーブの前記開口溝に挿入して固定される、ことを特徴とする、請求項２又は３に記載の折り畳んで収容可能なポータブル式のストーブ。
【請求項５】
前記火焔フィルターには、網目状とされるフィルター用穴が設けられ、前記網目状とされるフィルター用穴は、燃料が燃焼している際に生じた火炎をフィルタリングするためのものである、ことを特徴とする、請求項４に記載の折り畳んで収容可能なポータブル式のストーブ。
【請求項６】
前記支持部品は、二つの支持足を含み、前記二つの支持足は、一端がそれぞれ、回転軸を介して、前記底部ケースの辺縁に回転可能に接続され、前記回転軸周りに、前記底部ケースの下方に回転可能に収納されている、ことを特徴とする、請求項１から５のいずれかの一つに記載の折り畳んで収容可能なポータブル式のストーブ。
【請求項７】
前記支持足における回転軸に向かう一端は、上へ延出され、係合具を形成しており、
前記左側板又は前記右側板は、係合具と対応する被係合具が外壁面に設けられている、ことを特徴とする、請求項６に記載の折り畳んで収容可能なポータブル式のストーブ。
【請求項８】
前記前台板には、材料を入力するストーブ開口が開設され、
前記ストーブ開口には、ストーブ扉が設けられ、
前記ストーブ扉は、ストーブ扉ヒンジを介して、前台板の右側又は左側にヒンジ接続されている、ことを特徴とする、請求項１に記載の折り畳んで収容可能なポータブル式のストーブ。
【請求項９】
前記ストーブ扉には、透明なグラス窓が設けられ、
前記前台板は、前記透明なグラス窓と隣接する箇所に位置し、気体吸気口が開設されている、ことを特徴とする、請求項７に記載の折り畳んで収容可能なポータブル式のストーブ。
【請求項１０】
前記直管煙突は、金属製の薄肉部により巻き付けられたものであり、当該直管煙突は、複数の固定クランプが外側に周設されている、ことを特徴とする、請求項１に記載の折り畳んで収容可能なポータブル式のストーブ。
【考案の詳細な説明】
【技術分野】
【０００１】
本考案は、ストーブの技術分野に関し、特に、折り畳んで収容可能なポータブル式のストーブに関する。
【背景技術】
【０００２】
生活のレベルが向上するに伴い、より多くの人々は、屋外での活動を楽しみたいと思っている。人々は、屋外で活動をしている際に、屋外での料理も可能である。しかしながら、屋外における条件が限られているため、ストーブに対する可搬性の要求が比較的高い。現在、販売されているストーブは、一般的に、体積が比較的大きく、使用しないときに、折り畳んで収納することができず、空間を占めると共に、携帯も不便である。したがって、上記した課題を解決するために、折り畳んで収納できると共に、携帯しやすい新型火ストーブが望ましい。
【考案の概要】
【考案が解決しようとする課題】
【０００３】
本考案は、体積が大きく、折り畳んで収納することができず携帯も不便であったという従来のストーブに存在している課題を解決するために、折り畳んで収容可能なポータブル式のストーブを提供することを主な目的とする。
【課題を解決するための手段】
【０００４】
上記の目的を実現するために、本考案が提供する、折り畳んで収容可能なポータブル式のストーブは、ストーブケース、ストーブケースの先端部に設けられた直管煙突、及び、ストーブケースの底部に設けられた支持部品を含み、前記ストーブケースは、折り畳み可能なハウジングと、前記折り畳み可能なハウジングの底部に設置され、折り畳み可能なハウジングと嵌合している底部ケースと、を含み、前記折り畳み可能なハウジングは、天井板、前台板、後台板、左側板、及び、右側板を含み、前記前台板及び前記後台板は、ヒンジを介して、天井板の前後端部に接続され、前台板及び後台板がヒンジ接続辺に沿って、内側へ折り畳まれ、前記左側板及び右側板は、ヒンジを介して、天井板の左右端部に接続され、左側板及び右側板がヒンジ接続辺に沿って、内側へ折り畳まれ、収納するときは、前台板、後台板、左側板及び右側板が、それぞれ、ヒンジ接続辺に沿って、内側へ天井板の下方に折り畳まれている。
【０００５】
好適には、前記天井板には、煙排出口が開設されており、前記煙排出口には、煙突スリーブが設けられ、前記煙突スリーブの外径は、直管煙突の内径よりも小さく、前記直管煙突は、煙突スリーブの外側に周設されていると共に、直管煙突が固定クランプを介して煙突スリーブに固定されている。
【０００６】
好適には、前記煙突スリーブは、下方辺縁に係合フックが設けられ、前記天井板は、煙排出口に位置しており、前記係合フックと対応している係合溝が設けられ、前記煙突スリーブは、前記係合フックを介して、天井板の前記係合溝に係合して固定される。
【０００７】
好適には、前記煙突スリーブ内には、火焔フィルターがさらに設けられ、当該煙突スリーブは、前記火焔フィルターを挿入するための開口溝が側壁に設けられ、前記火焔フィルターは、径方向に、煙突スリーブの前記開口溝に挿入して固定される。
【０００８】
好適には、前記火焔フィルターには、網目状とされるフィルター用穴が設けられ、前記網目状フィルター用穴は、燃料が燃焼している際に生じた火炎をフィルタリングするためのものである。
【０００９】
好適には、前記支持部品は、二つの支持足を含み、前記二つの支持足は、一端がそれぞれ、回転軸を介して、前記底部ケースの辺縁に回転可能に接続され、前記回転軸周りに、前記底部ケースの下方に回転可能に収納されている。
【００１０】
好適には、前記支持足における回転軸に向かう一端は、上へ延出され、係合具を形成しており、前記左側板又は前記右側板は、係合具と対応する被係合具が外壁面に設けられている。
【００１１】
好適には、前記前台板には、材料を入力するストーブ開口が開設され、前記ストーブ開口には、ストーブ扉が設けられ、前記ストーブ扉は、ストーブ扉ヒンジを介して、前台板の右側又は左側にヒンジ接続されており、しかも、ストーブ開口に開閉可能に固定されている。
【００１２】
好適には、前記ストーブ扉には、透明なグラス窓が設けられ、前記前台板は、前記透明なグラス窓と隣接する箇所に位置し、気体吸気口が開設されている。
【００１３】
好適には、前記直管煙突は、金属製の薄肉部により巻き付けられたものであり、当該直管煙突は、複数の固定クランプが外側に周設されている。
【考案の効果】
【００１４】
本考案に係る構成が簡素、コンパクトであり、折りたたみ可能ストーブが折りたたみ可能であり、折り畳まれていると体積が小さくなり、空間を占めることなく、収納され易く、携帯が簡便であることから、その適用範囲が広くなり、市場での展開に役立つ。
【図面の簡単な説明】
【００１５】
本考案の実施例又は従来技術における技術的手段をより明確に説明するため、以下に、実施例又は従来技術を説明することに必要な図面を簡単に紹介するが、明らかに、以下に説明する図面は、本考案の幾つかの実施例に過ぎず、当業者にとって、創造性を有する労働が無い限り、これらの図面に示されている構造に基づいて、他の図面を取得することも可能である。
【図１】本考案の実施例に係るポータブル式のストーブの構成の模式図である。
【図２】本考案の実施例に係るポータブル式のストーブを分解した構成の模式図である。
【図３】本考案の実施例に係るポータブル式のストーブを折り畳んで収納した構成の模式図である。
【考案を実施するための形態】
【００１６】
本考案に係る目的の実現、機能の特徴及び利点については、実施例に基づいて、図面を参照しながら詳しく説明する。
【００１７】
以下、本考案の実施例における図面を参照しながら、本考案の実施例における技術的手段を明確にかつ完全に説明するが、明らかに、説明する実施例は本考案の一部の実施例に過ぎず、すべての実施例ではない。当業者は、本考案に係る実施例に基づいて、創造性を有する労働が無い限り、取得された他の実施例はいずれも、本考案の保護範囲に含まれる。
【００１８】
説明するべきところは、本考案の実施例における方向性を持ったあらゆる指示（例えば、上、下、左、右、前、後……）が、特定するある姿勢（例えば図面に示す）に、各部品間における相対する位置関係や運動状況等を解釈することしかに用いられず、この特定する姿勢が変わる場合には、当該方向性を持った指示も、合わせて変わる。
【００１９】
また、本考案に、「第一」や「第二」等の記載があれば、それらは説明という目的にしか用いられておらず、その相対する重要性を指示し又は暗示に示唆し、若しくは、係る技術特徴の数を暗示に示すと理解されるべきではない。従って、「第一」や「第二」が限定されている特徴は、少なくとも一つの当該特徴を明示に又は暗示に含むわけである。本考案の説明では、他の明確な断りがない限り、「複数」の意味が、少なくとも二つとされ、例えば、二つや三つなどとされてもよい。
【００２０】
本考案では、他の明確な規定や限定がない限り、「接続」や「固定」等の表現について、広義的に理解されるべきであり、例えば、「固定」が、固定して接続されてもよいし、着脱可能に接続されてもよいし、一体化にされてもよい。他の明確な限定が無い限り、機械接続でもよいし、電気接続でもよい。直接に繋がってもよいし、仲介媒体を介して間接に繋がってもよいし、二つの部品の内部における連通、又は二つの部品間における作用し合う関係でもよい。当業者にとっては、具体的な場合によって、本考案における上記した表現の具体的な意味を理解するとよい。
【００２１】
また、本考案における各実施例間の技術的手段は、互いに結合されてもよいが、当業者により実現可能であるということを前提として、技術的手段の組み合わせに、互いに矛盾し、又は、実現できない際に、この技術的手段の組み合わせが存在しておらず、本考案の保護しようとする範囲に含まれていない。
【００２２】
本考案は、体積が大きく、折り畳んで収納することができず携帯も不便であったという従来のストーブに存在している課題を解決するために、折り畳んで収容可能なポータブル式のストーブを提供する。
【００２３】
図１乃至図３に示すように、本考案が提供する、折り畳んで収容可能なポータブル式のストーブは、ストーブケース１００、ストーブケース１００の先端部に設けられた直管煙突２、及び、ストーブケース１００の底部に設けられた支持部品３を含み、ストーブケース１００は、折り畳み可能なハウジング１、及び、折り畳み可能なハウジング１の底部に設置され、折り畳み可能なハウジング１と嵌合する底部ケース１６を含む。より詳細には、折り畳み可能なハウジング１は、天井板１１、前台板１２、後台板１３、左側板１４及び右側板１５を含み、前台板１２と後台板１３とは、ヒンジを介して、天井板１１の前後端部に接続され、前台板１２と後台板１３とは、ヒンジ接続辺に沿って、内側へ折りたたみ可能である。さらに、左側板１４と右側板１５とは、ヒンジを介して、天井板１１の左右端部に接続される。左側板１４と右側板１５とは、ヒンジ接続辺に沿って、内側へ折りたたみ可能である。収納するときは、前台板１２、後台板１３、左側板１４及び右側板１５が、それぞれのヒンジ接続辺に沿って、内側へ天井板１１の下方に折り畳んで、底部ケース１６に収納して置かれるとよい。
【００２４】
一つの好ましい実施形態では、天井板１１に、煙排出口１１１が開設され、煙排出口１１１に、煙突スリーブ１７が設けられ、煙突スリーブ１７は、その外径が直管煙突２の内径よりも小さく、直管煙突２は、煙突スリーブ１７の外側に周設されており、直管煙突２は、固定クランプ２３を介して、直管煙突スリーブ１７に固定して接続される。さらに、煙突スリーブ１７は、下方辺縁に、外へ延出され、係合フック１７１が形成され、天井板１１は、煙排出口１１１に位置しており、係合フックと対応する係合溝１１２が設けられている。使用する場合には、まず、直管煙突２を、煙突スリーブ１７の外側に周設してから、煙突スリーブ１７を、係合フック１７１を介して、天井板１１と対応する係合溝１１２に挿入しながら、軸方向に、煙突スリーブ１７を回転させ、係合フック１７１が係合溝１１２に係合して固定されるようにする。直管煙突２は、当該煙突スリーブ１７を介して、天井板１１における煙排出口１１２に着脱可能に取り付けられる。本実施例では、煙突スリーブ１７と係合する係合フック１７１の数が三つであり、上記した係合フック１７１は、煙突スリーブ１７の辺縁に沿って配置される。天井板１１は、煙排出口１１１に位置し、対応する三つの係合溝１１２が設けられる。本実施例には、係合フック１７１と係合溝１１２との数が、実際のニーズに応じて調整されてもよい。
【００２５】
一つの好ましい実施形態では、煙突スリーブ１７には、火焔フィルター１８がさらに設けられ、煙突スリーブ１７は、側壁に、火焔フィルター１８を挿入する開口溝１７２が設けられ、火焔フィルター１８は、径方向に、煙突スリーブ１７における開口溝１７２に挿入して固定される。煙突スリーブ１７は、直管煙突２と互いに連通すると共に排气通路を形成していることから、燃料が燃焼している際に、火焔フィルター１８により、煙突スリーブにおける排气通路の開閉や開度の大きさを調節することができ、ひいては、燃料の燃焼速度を調節することができる。さらに、火焔フィルター１８には、網目状フィルター用穴が設けられ、網目状フィルター用穴は、燃料が燃焼している際に生じた火炎をフィルタリングするためのものである。
【００２６】
一つの好ましい実施形態では、支持部品３は、二つの支持足３１を含み、二つの支持足３１は、一端がそれぞれ、回転軸を介して、底部ケース１６の辺縁に回転可能に接続されると共に、二つの支持足３１は、回転軸周りに底部ケース１６の下方に回転可能に収納される。より詳細には、二つの支持足３１における回転軸に面する一端は、上へ延出され、係合具３２を形成しており、左側板１４又は右側板１５の外壁面に、係合具３２と対応する被係合具３３が設けられる。使用する場合には、二つの支持足３１が回転軸を介して、外へ回転して展開され、二つの支持足３１におけるそれぞれの係合具３２が左側板１４又は右側板１５の外壁面と対応する被係合具３３に係合される。そのうち、係合具３２と被係合具３３とを設置することにより、二つの支持足３１が展開する支持角度を調整しながら、二つの支持足３１と折り畳み可能なハウジング１とを固定して組み立てることができる。収納するときは、二つの支持足３１を、回転軸周りに底部ケース１６の下方に回転して収納する。
【００２７】
一つの好ましい実施形態では、前台板１２には、材料を入力するストーブ開口（未図示）が開設され、ストーブ開口には、ストーブ扉１９が取り付けられ、ストーブ扉１９は、ストーブ扉ヒンジを介して、前台板１２の右側又は左側にヒンジ接続されると共に、ストーブ開口に開閉可能に固定されている。さらに、ストーブ扉１９には、火炎を観察するための透明なグラス窓が取り付けられ、前台板１２は、透明なグラス窓と隣接する箇所に位置しており、気体を吸入するための気体吸気口が開設されており、気体吸気口には、吸気を調節できるチョーク弁が設置されている。
【００２８】
好ましくは、直管煙突２は、金属製薄肉部２１により巻き付けられたものであり。使用する場合、金属製薄肉部２１を巻き付け、直管煙突２を形成し、直管煙突２を、煙突スリーブ１７を介して、天井板１１の煙排出口１１１に固定して取り付ける。当該直管煙突２は、複数の煙突フープ２２が外側に周設されている。煙突フープ２２は、直管煙突２の見かけ構成を固定するためのものであり、煙突２は、直管煙突１７に、固定クランプ２３を介して固定して接続される。
【００２９】
本考案に係るポータブル式のストーブは、使用する場合、折り畳み可能なハウジングを展開して底部のケースに嵌合して使用されるとよい。一方、収納するときは、折り畳み可能なハウジングの前台板、後台板、左側板及び右側板を、それぞれのヒンジ接続辺に沿って、内側へ、天井板の下方に折り畳まれてから、底部ケースに収納して置かれるとよい。ポータブル式のストーブは、折り畳まれていると体積が小さく、空間を占めることなく、収納され易く、携帯が簡便である。
【００３０】
以上の説明は、本考案の好ましい実施例に過ぎず、本考案の登録請求の範囲を限定するものではなく、本考案の発想において、本考案の明細書及びその図面の内容に基づいてなされた如何なる構成の均等置換、又は、直接／間接に、他の関連する技術分野に適用されたものは、いずれも、本考案の登録請求の範囲に含まれる。
【符号の説明】
【００３１】
１００   ストーブケース
１７２   開口溝
１       折り畳み可能なハウジング
１８     火焔フィルター
１１   天井板
１９   ストーブ扉
１１１   煙排出口 
２       直管煙突
１１２ 係合溝
２１     金属製薄肉部
１２     前台板
２２   煙突フープ
１３   後台板 
２３   固定クランプ
１４     左側板
３      支持部品
１５     右側板
３１   支持足
１６   底部ケース
３２     係合具
１７     煙突スリーブ
３３     被係合具
１７１   係合フック
【図１】
0003233745.tif 000003
【図２】
0003233745.tif 000004
【図３】
0003233745.tif 000005
【手続補正書】
【提出日】令和3年7月1日(2021.7.1)
【手続補正１】
【補正対象書類名】実用新案登録請求の範囲
【補正対象項目名】全文
【補正方法】変更
【補正の内容】
【実用新案登録請求の範囲】
【請求項１】
ストーブケース、ストーブケースの先端部に設けられた直管煙突、及び、ストーブケースの底部に設けられた支持部品を含む、折り畳んで収容可能なポータブル式のストーブであって、
前記ストーブケースは、折り畳み可能なハウジングと、前記折り畳み可能なハウジングの底部に設置され、折り畳み可能なハウジングと嵌合している底部ケースと、を含み、
前記折り畳み可能なハウジングは、天井板、前台板、後台板、左側板、及び、右側板を含み、前記前台板及び前記後台板は、ヒンジを介して、天井板の前後端部に接続され、前台板及び後台板がヒンジ接続辺に沿って、内側へ折り畳まれ、
前記左側板及び接続于右側板は、ヒンジを介して、天井板の左右端部に接続され、左側板及び右側板がヒンジ接続辺に沿って、内側へ折り畳まれ、
収納するときは、前台板、後台板、左側板及び右側板が、それぞれ、ヒンジ接続辺に沿って、内側へ天井板の下方に折り畳まれている、ことを特徴とする、折り畳んで収容可能なポータブル式のストーブ。
【請求項２】
前記天井板には、煙排出口が開設されており、前記煙排出口には、煙突スリーブが設けられ、前記煙突スリーブの外径は、直管煙突の内径よりも小さく、前記直管煙突は、煙突スリーブの外側に周設されている、ことを特徴とする、請求項１に記載の折り畳んで収容可能なポータブル式のストーブ。
【請求項３】
前記煙突スリーブは、下方辺縁に係合フックが設けられ、
前記天井板は、煙排出口に位置しており、前記係合フックと対応している係合溝が設けられ、
前記煙突スリーブは、前記係合フックを介して、天井板の前記係合溝に係合して固定される、ことを特徴とする、請求項２に記載の折り畳んで収容可能なポータブル式のストーブ。
【請求項４】
前記煙突スリーブ内には、火焔フィルターがさらに設けられ、
当該煙突スリーブは、前記火焔フィルターを挿入するための開口溝が側壁に設けられ、
前記火焔フィルターは、径方向に、煙突スリーブの前記開口溝に挿入して固定される、ことを特徴とする、請求項２又は３に記載の折り畳んで収容可能なポータブル式のストーブ。
【請求項５】
前記火焔フィルターには、網目状とされるフィルター用穴が設けられ、前記網目状とされるフィルター用穴は、燃料が燃焼している際に生じた火炎をフィルタリングするためのものである、ことを特徴とする、請求項４に記載の折り畳んで収容可能なポータブル式のストーブ。
【請求項６】
前記支持部品は、二つの支持足を含み、前記二つの支持足は、一端がそれぞれ、回転軸を介して、前記底部ケースの辺縁に回転可能に接続され、前記回転軸周りに、前記底部ケースの下方に回転可能に収納されている、ことを特徴とする、請求項１から５のいずれかの一つに記載の折り畳んで収容可能なポータブル式のストーブ。
【請求項７】
前記支持足における回転軸に向かう一端は、上へ延出され、係合具を形成しており、
前記左側板又は前記右側板は、係合具と対応する被係合具が外壁面に設けられている、ことを特徴とする、請求項６に記載の折り畳んで収容可能なポータブル式のストーブ。
【請求項８】
前記前台板には、材料を入力するストーブ開口が開設され、
前記ストーブ開口には、ストーブ扉が設けられ、
前記ストーブ扉は、ストーブ扉ヒンジを介して、前台板の右側又は左側にヒンジ接続されている、ことを特徴とする、請求項１に記載の折り畳んで収容可能なポータブル式のストーブ。
【請求項９】
前記ストーブ扉には、透明なグラス窓が設けられ、
前記前台板は、前記透明なグラス窓と隣接する箇所に位置し、気体吸気口が開設されている、ことを特徴とする、請求項８に記載の折り畳んで収容可能なポータブル式のストーブ。
【請求項１０】
前記直管煙突は、金属製の薄肉部により巻き付けられたものであり、当該直管煙突は、複数の固定クランプが外側に周設されている、ことを特徴とする、請求項１に記載の折り畳んで収容可能なポータブル式のストーブ。